(57)【特許請求の範囲】
【請求項１】
コアー部の上下両面にライナー部を貼着してなる方形のハニカム板からなり、その板面にボビン等の円筒状物の芯部が挿脱可能とされた保持孔を所要数穿設するとともに、四隅のコアー部とその上下何れか一方のライナー部とに斜めに切れ目を入れて三角形状の折曲片を形成し、該折曲片を前記切れ目に沿って他方のライナー部側に折り重ね可能としたことを特徴とするボビン等円筒状物用保持板。
【請求項２】
請求項１記載の保持板を介してボビン等の円筒状物を所要段数積み上げた後、各保持板の保持孔内に円筒状物の芯部を挿入し、次いで折曲片を折り曲げて隣り合う上部保持板のコーナー部と下部保持板のコーナー部との距離を折曲片の厚さだけ小さくした後ストレッチフィルム等の外装材で梱包することを特徴とするボビン等円筒状物の梱包方法。
【発明の詳細な説明】
【０００１】
【発明の属する技術分野】
本発明は、糸やフィルム等を紙管等の芯部に巻回してなるボビン等の円筒状物を保管、運搬するためのボビン等円筒状物用保持板、及び該保持板を用いたボビン等円筒状物の梱包方法に関するものである。
【０００２】
【従来の技術】
従来、この種のボビン等用保持板の代表例は、図６及び図７に示すような構造からなっている。これらの図において、１は保持板で、方形の段ボールからなり、その板面２に後述するボビン等の円筒状物４の芯部５が挿脱可能とされた保持孔３が所要数穿設されている。
【０００３】
この保持板１を用いてボビン等の円筒状物４を梱包して保管、運搬するには、図８に示すように、まず、保持板１を介して円筒状物４を所要段数積み上げるとともに、積み上げた円筒状物４の上下両端面に保持板１を配設し、各保持板１の保持孔３内に円筒状物４の芯部５を挿入したものをパレット６上に載置する。芯部５には、紙管が用いられていることが多い。
【０００４】
次に、パレット６を含む全体をストレッチフィルム等の外装材７で梱包した後、外側に荷造り用テープ８を掛けて梱包を完了する。この際、ストレッチフィルム等の外装材７は、通常、熱収縮させないまま使用する。
【０００５】
このようにして梱包を完了したものは、フオークリフトで運搬するのが便利である。それには、フオークの先端でパレット６のフオーク挿入孔９を目掛けて外装材７を突き破り、フオークをフオーク挿入孔９に差し込んでパレット６を持ち上げ、所定位置に運搬すればよい。
【０００６】
【発明が解決しようとする課題】
しかし、従来の保持板１によれば、その強度、特に曲げ強度が弱いために耐久性が小さい上、重量が大きいために取扱い性が悪く、また、往々にして保持板１の四隅の角部１０により外装材７が破れるという問題があった。さらに、図８に示すように、コーナー部の外装材７が内側、即ち、円筒状物４側に窪み、その結果、外装材７が円筒状物４の表面に接触して静電気を発生することが多く、円筒状物４が糸を巻回したものの場合には糸が毛羽立ったり埃が付着し、またフィルムの場合には埃が付着し、商品価値を低下させるという問題もあった。
【０００７】
本発明は、従来の保持板１を改良して、このような問題点を取り除くことを目的とする。
【０００８】
【課題を解決するための手段】
上記目的を達成するために、本発明の第１は、コアー部の上下両面にライナー部を貼着してなる方形のハニカム板からなり、その板面にボビン等の円筒状物の芯部が挿脱可能とされた保持孔を所要数穿設するとともに、四隅のコアー部とその上下何れか一方のライナー部とに斜めに切れ目を入れて三角形状の折曲片を形成し、該折曲片を前記切れ目に沿って他方のライナー部側に折り重ね可能としたことを特徴とするボビン等円筒状物用保持板を内容とするものである。
【０００９】
本発明の第２は、請求項１記載の保持板を介してボビン等の円筒状物を所要段数積み上げた後、各保持板の保持孔内に円筒状物の芯部を挿入し、次いで折曲片を折り曲げて隣り合う上部保持板のコーナー部と下部保持板のコーナー部との距離を折曲片の厚さだけ小さくした後ストレッチフィルム等の外装材で梱包することを特徴とするボビン等円筒状物の梱包方法を内容とするものである。
【００１０】
【作用】
本発明の保持板を用いて円筒状物を梱包するには、まず、保持板を介して円筒状物を所要段数積み上げるとともに、最上段の円筒状物の上面と最下段の円筒状物の下面とに保持板を配設し、各保持板の保持孔内に円筒状物の芯部を挿入したものをパレット上に載置する。その際、各保持板の折曲片は下側にし、最下段の保持板の折曲片のみ上側にするのがよい。
【００１１】
次に、パレットを含む全体をストレッチフィルム等の外装材で梱包した後、外側に荷造り用テープを掛けて梱包を完了する。
【００１２】
本発明の保持板は、ハニカム板からなっているので、高強度と軽量性とを兼ね備えている。そのため、耐久性に優れ、繰り返し使用が可能であるとともに、取り扱いが容易である。
【００１３】
また、上記のように梱包したものにおいては、保持板の四隅の角部が鈍角状になっているので、外装材が角部により破れるおそれがない。
【００１４】
さらに、保持板の四隅の厚さが折曲片により倍増しているので、隣接する上部保持板のコーナー部と下部保持のコーナー部との間の距離が折曲片の厚さだけ短くなり、その分だけ外装材の円筒状物側への窪みが小さくなり、その結果、外装材が円筒状物の表面に接触し難くなり、外装材が円筒状物に接触することに起因する毛羽立ちや埃の付着が防止される。
【００１５】
【実施例】
以下、本発明の一実施例を図１〜図５に基づいて説明するが、本発明は必ずしも本実施例に限定されるものでないことはいうまでもない。
【００１６】
本実施例のボビン等円筒状物用保持板を図１及び図２に示す。これらの図において、１１は保持板で、コアー部１２の上下両面にライナー部１３を貼着してなる方形のハニカム板からなり、その板面１４に後述するボビン等の円筒状物１８の芯部１９が挿脱可能とされた保持孔１５が所要数穿設されている。
【００１７】
さらに、保持板１１の四隅には、図３に示すように、コアー部１２とその上面のライナー部１３とに切れ目１６が斜めに入れられて三角形状の折曲片１７が形成されており、該折曲片１７は、図４に示すように、下面のライナー部１３側に折り重ね可能に構成されている。
【００１８】
ハニカム板は、紙製が一般的であるがプラスチック製でもよい。紙製のものは、クラフト紙又はその再生紙からなるコアー部１２の上下両面に同じくクラフト紙又はその再生紙からなるライナー部が貼着されたもの、コアー部１２がクラフト紙又はその再生紙、ライナー部１３が紙管原紙又はその再生紙からなるもの、コアー部１２及びライナー部１３ともに紙管原紙又はその再生紙からなるもの、等が例示されるが、いずれも段ボールに比して高強度と軽量性を兼ね備えている利点がある。特にライナー部１２として紙管原紙又はその再生紙を用いると、切屑の発生がないので作業性が良好であるとともに、外観が良好で商品価値が高められる。
【００１９】
また、プラスチック製のものは、ポリエチレン、ポリプロピレン等のポリオレフィン樹脂、ポリ塩化ビニル樹脂、ポリスチレン樹脂等のプラスチック又はこれらの再生プラスチック等が例示される。
【００２０】
本実施例の保持板１１の使用方法は、従来の保持板１と同じである。即ち、図５に示すように、まず、保持板１１を介して円筒状物１８を所要段数積み上げるとともに、最上段の円筒状物１８の上面と最下段の円筒状物１８の下面とに保持板１１を配設し、各保持板１１の保持孔１５内に円筒状物１８の芯部１９を挿入したものをパレット２０上に載置する。その際、各保持板１１の折曲片１７は下側にし、最下段の保持板１１の折曲片１７のみ上面にする（図５参照）。
【００２１】
次に、パレット２０を含む全体を外装材２１で梱包した後、外側に荷造り用テープ２２を掛けて梱包を完了する。外装材２１にはポリエチレン等からなるストレッチフィルムが適しており、通常、熱収縮させないまま用いるが、必要により熱収縮させてもよい。
【００２２】
上記のようにして梱包したものを運搬するには、フオークリフトのフオークの先端でパレット２０のフオーク挿入孔２３を目掛けて外装材２１を突き破り、フオークをフオーク挿入孔２３に差し込んでパレット２０を持ち上げ、所定位置に運搬する。
【００２３】
本実施例の保持板１１を用いて梱包したものにおいては、保持板１１の四隅の角部２４が鈍角状になっているので、従来のように外装材２１が角部２４により破れるということはなく、また、図５に示すように、保持板１１の四隅の厚さが折曲片１７により倍増しているので隣接する上下の保持板１１のコーナー間の距離が折曲片１７の厚さだけ小さくなっているため、外装材２１の内側への窪み、即ち円筒状物側への窪みが小さくなり（尚、最下段においては、その上部の保持板の折曲片は下側に折り曲げられ、最下段の保持板の折曲片は上側に折り曲げられているので、最下段の保持板とその上部の保持板とのコーナー間の距離は折曲片の厚さの２倍だけ小さくなっている）、その結果、従来のように外装材２１が円筒状物１８の表面に接触するのが防止される。
【００２４】
【発明の効果】
以上述べたように、本発明のボビン等円筒状物用保持板はハニカム板からなっているので、高強度と軽量性とを兼ね備えている。そのため、耐久性に優れ、繰り返し使用が可能であるとともに、取り扱いが容易である。
【００２５】
また、本発明の保持板はその四隅の角部が鈍角状になっているので、これを用いて円筒状物を梱包した場合、梱包用外装材が従来のように角部（直角）により破れることはない。尚、必要により、鈍角状部を更に鈍角としたり、円弧状としてもよいことは云うまでもない。
【００２６】
さらに、本発明の保持板は、その四隅の厚さが折曲片により倍加されているので、これを用いて円筒状物を梱包した場合、上下保持板のコーナー間の距離が折曲片の厚さだけ小さくなり、その結果、梱包用外装材が従来のように円筒状物の側に窪み、円筒状物の表面に接触して汚損するおそれがない。
【図面の簡単な説明】
【図１】本発明の一実施例を示す保持板の平面図である。
【図２】図１のII−II線断面図である。
【図３】本発明の保持板の四隅に形成した折曲片を示す拡大平面図である。
【図４】図３の折曲片を下方に折り重ねた状態を示す側面図である。
【図５】本発明の保持板を用いて梱包した複数個の円筒状物を示す正面図である。
【図６】従来の保持板の一例を示す平面図である。
【図７】図６のVII −VII 線断面図である。
【図８】従来の保持板を用いて梱包した複数個の円筒状物を示す正面図である。
【符号の説明】
１  保持板                          ２  板面
３  保持孔                          ４  円筒状物
５  芯部                            ６  パレット
７  外装材                          ８  荷造り用テープ
９  フオーク挿入孔                  １０  角部
１１  保持板                        １２  コアー部
１３  ライナー部                    １４  板面
１５  保持孔                        １６  切れ目
１７  折曲片                        １８  円筒状物
１９  芯部                          ２０  パレット
２１  外装材                        ２２  荷造り用テープ
２３  フオーク挿入孔                ２４  角部
【図１】
0004024379.tif 000002
【図２】
0004024379.tif 000003
【図３】
0004024379.tif 000004
【図４】
0004024379.tif 000005
【図５】
0004024379.tif 000006
【図６】
0004024379.tif 000007
【図７】
0004024379.tif 000008
【図８】
0004024379.tif 000009